(57)【要約】【課題】配管に取付けられている複数のバルブからなるパイプラインにおいて、ラインアップする際に、アイソレーションバルブを任意に決定することで、バルブの操作制御を簡略化できると共に、配管の閉塞状態を回避できるようにしたバルブ制御方法及びバルブ制御システムを提供する。【解決手段】バルブ制御方法は、複数のバルブを介在させて複数の配管を連結してなるパイプラインであって、特定の配管を連結してラインアップする際に、この特定の配管から枝分けする最初のバルブを一次アイソレーションバルブとし、この一次アイソレーションバルブの先方の配管に設けてあるバルブが開のときは、この一次アイソレーションバルブをアイソレーションバルブとして閉操作し、一次アイソレーションバルブの先方の配管に設けてあるバルブが閉のときは、この閉のバルブをアイソレーションバルブとすることである。【選択図】      図１
2004197810.tif 000002
【特許請求の範囲】
【請求項１】
複数のバルブを介在させて複数の配管を連結してなるパイプラインのバルブ制御方法であって、
特定の配管から枝分けする最初のバルブを一次アイソレーションバルブとし、該一次アイソレーションバルブの先方の配管に設けてあるバルブが開のときは、該一次アイソレーションバルブをアイソレーションバルブとして閉操作し、
前記一次アイソレーションバルブの先方の配管に設けてあるバルブが閉のときは、該閉のバルブをアイソレーションバルブとすることを特徴とするバルブ制御方法。
【請求項２】
前記一次アイソレーションバルブの先方の配管に設けてあるバルブが自動バルブであるときには、この自動バルブのバルブをアイソレーションバルブとする請求項１に記載のバルブ制御方法。
【請求項３】
前記一次アイソレーションバルブが手動バルブであるときに、前記一次アイソレーションバルブの先方の配管に設けてあるバルブが自動バルブであるときは、この自動バルブのバルブをアイソレーションバルブとする請求項１に記載のバルブ制御方法。
【請求項４】
前記一次アイソレーションバルブの先方の配管に設けてあるバルブが、前記一次アイソレーションバルブの先方にある配管を挟んだ前方後方の両側に位置する２つのバルブであるときに、該両者のバルブが閉のときは該両者のバルブをアイソレーションバルブとすることを特徴とする請求項１に記載のバルブ制御方法。
【請求項５】
前記一次アイソレーションバルブの先方の配管に設けてあるバルブが、前記一次アイソレーションバルブの先方にある配管を挟んだ前方後方の両側に位置する２つのバルブであるときに、該両者のバルブが自動バルブであるときは、該両者のバルブをアイソレーションバルブとすることを特徴とする請求項１に記載のバルブ制御方法。
【請求項６】
前記一次アイソレーションバルブの先方の配管に設けてあるバルブが、前記一次アイソレーションバルブの先方にある配管を挟んだ前方後方の両側に位置する２つのバルブであるときに、該前方のバルブが閉の状態で、前記後方のバルブが自動バルブであるときは、該後方のバルブをアイソレーションバルブとすることを特徴とする請求項１に記載のバルブ制御方法。
【請求項７】
複数のバルブを介在させて複数の配管を連結してなるパイプラインにおいて、
特定の配管から枝分けする最初のバルブを一次アイソレーションバルブとする第１の制御手段と、
該一次アイソレーションバルブの先方の配管に設けてあるバルブが開のときは、該一次アイソレーションバルブをアイソレーションバルブとして閉操作し、
前記一次アイソレーションバルブの先方の配管に設けてあるバルブが閉のときは、該閉のバルブをアイソレーションバルブとする第２の制御手段と、を備えたことを特徴とするバルブ制御システム。
【請求項８】
前記第２の制御手段は、前記一次アイソレーションバルブの先方の配管に設けてあるバルブが自動バルブであるときには、この自動バルブのバルブをアイソレーションバルブとすることを特徴とする請求項７に記載のバルブ制御システム。
【請求項９】
前記第２の制御手段は、前記一次アイソレーションバルブが手動バルブであるときに、前記一次アイソレーションバルブの先方の配管に設けてあるバルブが自動バルブであるときは、この自動バルブのバルブをアイソレーションバルブとする請求項７に記載のバルブ制御システム。
【請求項１０】
前記第２の制御手段は、前記一次アイソレーションバルブの先方の配管に設けてあるバルブが、前記一次アイソレーションバルブの先方にある配管を挟んだ前方後方の両側に位置する２つのバルブであるときに、該両者のバルブが閉のときは該両者のバルブをアイソレーションバルブとすることを特徴とする請求項７に記載のバルブ制御システム。
【請求項１１】
前記第２の制御手段は、前記一次アイソレーションバルブの先方の配管に設けてあるバルブが、前記一次アイソレーションバルブの先方にある配管を挟んだ前方後方の両側に位置する２つのバルブであるときに、該両者のバルブが自動バルブであるときは、該両者のバルブをアイソレーションバルブとすることを特徴とする請求項７に記載のバルブ制御システム。
【請求項１２】
前記第２の制御手段は、前記一次アイソレーションバルブの先方の配管に設けてあるバルブが、前記一次アイソレーションバルブの先方にある配管を挟んだ前方後方の両側に位置する２つのバルブであるときに、該前方のバルブが閉の状態で、後方のバルブが自動バルブであるときは、該後方のバルブをアイソレーションバルブとすることを特徴とする請求項７に記載のバルブ制御システム。
【発明の詳細な説明】
【０００１】
【発明の属する技術分野】
本発明は、バルブ制御方法及びバルブ制御システムに関するものであり、詳しくは、石油製油所等において、油の移送やブレンド作業を行う際に、通油経路を確保（以降、ラインアップと呼ぶ）する目的で、前もって必要なバルブの開閉操作が行われる。その際、バルブが自動化されていない場合、バルブの開閉操作を手動で行わなければならず、労力を要する。
従って、できるだけ不要な操作を減らすことが求められる現状において、本発明は、製油所において、ラインアップを行う際に、閉操作されるバルブ（以降、アイソレーションバルブと呼ぶ）を柔軟に決定し、より低コストな操業を実現させるための機能を備えたバルブ制御方法及びバルブ制御システムに関するものである。
【０００２】
【従来の技術】
従来技術におけるバルブを介在させた配管からなるパイプラインの一例は、図６に示すように、第１の配管１１から枝分かれする位置にバルブＡを配置し、そのバルブＡの先方に第２の配管１２を設け、この第２の配管１２の後方にバルブＢを介在させて第３の配管１３を設け、第２の配管１２の後方にバルブＣを介在させて第４の配管１４を設けたものがある。
【０００３】
今、第１の配管１１をラインアップする際に、目的外の方向へ油が流出することを防ぐため、枝分かれする配管上のバルブを閉める必要がある。この場合、実際に油が流れる第１の配管１１から枝分かれするバルブＡを、一意的にアイソレーションバルブとして、閉操作をする。
【０００４】
このように、製油所には、通常数千個ものバルブが存在する。そのために、ラインアップする際、閉操作バルブを決定することは、一般に容易ではない。そこで、油を流す経路ごとに、事前にアイソレーションバルブとなるべきバルブを登録しておき、経路が決まった時点で、登録されているバルブを単純に呼び出す方式をとっている。このとき、バルブ登録数を最小にするために、通常、岐分かれする配管上に、最初に現れるバルブをアイソレーションバルブとして登録対象としていた。
【０００５】
【特許文献１】
特開平１１−１７５２２１号公報  （第３頁  第１図）
【０００６】
【発明が解決しようとする課題】
しかしながら、従来技術で説明したバルブのアイソレーションバルブであると登録するとしても、図６において、バルブＢ及びバルブＣが既に閉まっていた場合、バルブＡが開いたままであっても油は流出せず、閉操作は必要ない。
しかし、従来技術で説明したバルブの制御方法であると、常にバルブＡがアイソレーションバルブとされるために、結果的に無駄な操作を要する場合があるという問題がある。
【０００７】
又、バルブには遠隔操作が可能な自動バルブと、現場での操作が必要な手動バルブがある。図６において、バルブＡが手動バルブ、バルブＢ及びバルブＣが自動バルブだった場合、バルブＡを閉めるよりも、バルブＢ及びバルブＣを閉めるほうが遠隔操作で閉めることができるため、人的労力は少なくてすむ。
しかし、従来技術では、このような状況を考慮せずにアイソレーションバルブが決定されると、例え、手動バルブであっても閉操作をする必要があり、そのぶん不必要な労力を生じさせる場合がある。
【０００８】
従って、ラインアップ等のアイソレーションバルブの決定を、現場の状況に応じて柔軟に行うことにより、不要なバルブ操作を減らすことに解決しなければならない課題を有する。
【０００９】
【課題を解決するための手段】
上記課題を解決するために、本発明に係るバルブ制御方法及びバルブ制御システムは、次に示す構成にすることである。
【００１０】
（１）バルブ制御方法は、複数のバルブを介在させて複数の配管を連結してなるパイプラインであって、特定の配管から枝分けする最初のバルブを一次アイソレーションバルブとし、該一次アイソレーションバルブの先方の配管に設けてあるバルブが開のときは、該一次アイソレーションバルブをアイソレーションバルブとして閉操作し、前記一次アイソレーションバルブの先方の配管に設けてあるバルブが閉のときは、該閉のバルブをアイソレーションバルブとすることである。
又、（２）前記一次アイソレーションバルブの先方の配管に設けてあるバルブが自動バルブであるときには、この自動バルブのバルブをアイソレーションバルブとする（１）に記載のバルブ制御方法。
（３）前記一次アイソレーションバルブが手動バルブであるときに、前記一次アイソレーションバルブの先方の配管に設けてあるバルブが自動バルブであるときは、この自動バルブのバルブをアイソレーションバルブとする（１）に記載のバルブ制御方法。
（４）前記一次アイソレーションバルブの先方の配管に設けてあるバルブが、前記一次アイソレーションバルブの先方にある配管を挟んだ前方後方の両側に位置する２つのバルブであるときに、該両者のバルブが閉のときは該両者のバルブをアイソレーションバルブとすることを特徴とする（１）に記載のバルブ制御方法。
（５）前記一次アイソレーションバルブの先方の配管に設けてあるバルブが、前記一次アイソレーションバルブの先方にある配管を挟んだ前方後方の両側に位置する２つのバルブであるときに、該両者のバルブが自動バルブであるときは、該両者のバルブをアイソレーションバルブとすることを特徴とする（１）に記載のバルブ制御方法。
（６）前記一次アイソレーションバルブの先方の配管に設けてあるバルブが、前記一次アイソレーションバルブの先方にある配管を挟んだ前方後方の両側に位置する２つのバルブであるときに、該前方のバルブが閉の状態で、前記後方のバルブが自動バルブであるときは、該後方のバルブをアイソレーションバルブとすることを特徴とする（１）に記載のバルブ制御方法。
【００１１】
（７）バルブ制御システムは、複数のバルブを介在させて複数の配管を連結してなるパイプラインにおいて、特定の配管から枝分けする最初のバルブを一次アイソレーションバルブとする第１の制御手段と、該一次アイソレーションバルブの先方の配管に設けてあるバルブが開のときは、該一次アイソレーションバルブをアイソレーションバルブとして閉操作し、前記一次アイソレーションバルブの先方の配管に設けてあるバルブが閉のときは、該閉のバルブをアイソレーションバルブとする第２の制御手段と、を備えたことである。
又、（８）前記第２の制御手段は、前記一次アイソレーションバルブの先方の配管に設けてあるバルブが自動バルブであるときには、この自動バルブのバルブをアイソレーションバルブとすることを特徴とする（７）に記載のバルブ制御システム。
（９）前記第２の制御手段は、前記一次アイソレーションバルブが手動バルブであるときに、前記一次アイソレーションバルブの先方の配管に設けてあるバルブが自動バルブであるときは、この自動バルブのバルブをアイソレーションバルブとする（７）に記載のバルブ制御システム。
（１０）前記第２の制御手段は、前記一次アイソレーションバルブの先方の配管に設けてあるバルブが、前記一次アイソレーションバルブの先方にある配管を挟んだ前方後方の両側に位置する２つのバルブであるときに、該両者のバルブが閉のときは該両者のバルブをアイソレーションバルブとすることを特徴とする（７）に記載のバルブ制御システム。
（１１）前記第２の制御手段は、前記一次アイソレーションバルブの先方の配管に設けてあるバルブが、前記一次アイソレーションバルブの先方にある配管を挟んだ前方後方の両側に位置する２つのバルブであるときに、該両者のバルブが自動バルブであるときは、該両者のバルブをアイソレーションバルブとすることを特徴とする（７）に記載のバルブ制御システム。
（１２）前記第２の制御手段は、前記一次アイソレーションバルブの先方の配管に設けてあるバルブが、前記一次アイソレーションバルブの先方にある配管を挟んだ前方後方の両側に位置する２つのバルブであるときに、該前方のバルブが閉の状態で、後方のバルブが自動バルブであるときは、該後方のバルブをアイソレーションバルブとすることを特徴とする（７）に記載のバルブ制御システム。
【００１２】
このように、ラインアップする配管から枝分かれするバルブを一次アイソレーションバルブと決定した後に、その一次アイソレーションバルブの後方のバルブが閉の状態であるかを検索し、もし、閉の状態のバルブが存在している場合には、その閉のバルブにより油の流出が防止できるから、その閉のバルブをアイソレーションバルブに決定することにより、無駄なバルブの操作を防止できる。
【００１３】
【発明の実施の形態】
次に、本発明に係るバルブ制御方法及びバルブ制御システムの実施形態について、図面を参照して説明する。尚、従来技術で説明したものと同一のものには同一符号を付与して説明する。
【００１４】
本願発明に係る第１の実施形態であるところの、複数のバルブを制御するバルブ制御方法を具現化することができるバルブ制御システムは、パイプラインを形成するものであり、その一例は、図１に示すように、第１の配管１１から枝分かれする位置にバルブＡを配置し、そのバルブＡの先方に第２の配管１２を設け、第２の配管１２の後方にバルブＢを介在させて第３の配管１３を設け、第２の配管１２の先方にバルブＣを介在させて第４の配管１４を設け、バルブＡ、バルブＢ、バルブＣが自動バルブの場合には遠隔開閉操作の制御をする制御部１５を設けた構成になっている。
【００１５】
このような構成において、制御部１５は、ラインアップ時のアイソレーションバルブを、バルブの状態や種別に応じて決定する構成になっている。具体的には、図１に示すバルブＡを起点（以降、一次アイソレーションバルブと呼ぶ）とする第１の制御手段を有し、その先のバルブを回帰的に検索し、検索停止条件（バルブが閉じていた、など）を満たすまで検索を繰り返して、一次アイソレーションバルブの先方の配管に設けてあるバルブが閉のときは、この閉のバルブをアイソレーションバルブとする第２の制御手段とを有する。
【００１６】
その結果、枝分かれした場所から先の配管、即ち、実施例の場合、第２の配管１２、第３の配管１３、第４の配管１４の全てが、どこかのバルブ、実施例の場合、バルブＢ或いはバルブＣが閉止されていた場合、閉操作が必要なバルブはない、と判断される。又、仮に、バルブＢやバルブＣが開いていたとしても、それらが自動バルブであり、同時にバルブＡが手動バルブであった場合、バルブＢとバルブＣをアイソレーションバルブと決定する。そして、このアイソレーションバルブに決定されたバルブＢ及びバルブＣが自動バルブであるため、遠隔にて閉操作することでラインアップが完成する。
【００１７】
このように、本発明では、ラインアップ時のアイソレーションバルブを、バルブの状態や種別に応じて決定する。
【００１８】
又、仮にバルブＢやバルブＣが開いていたとしても、それらが自動バルブであり、同時にバルブＡが手動バルブであった場合は、バルブＢとバルブＣがアイソレーションバルブと定められる。バルブＢとバルブＣは遠隔にて閉操作制御できるからである。
【００１９】
次に、ラインアップ時におけるアイソレーションバルブを決定するための手法について、図２及び図３に示すフローチャートに基づいて説明する。
【００２０】
先ず、油の流れる配管の枝分かれしている隣のバルブ、配管情報を全て抽出する。そして、そのバルブをアイソレーションバルブし、そのアイソレーションバルブとして先のバルブの検索をする（ステップＳＴ１１、ＳＴ１２）。
【００２１】
ステップＳＴ１２において、バルブの検索は、図３に示すように、先ず、全てのバルブの開閉の判断をし、全ての判断が終了した時点でバルブ及び配管情報の抽出が終了する（ステップＳＴ２１）
【００２２】
ステップＳＴ２１において、全てのバルブの開閉の判断が終了していない場合には、開閉の判断がされていないバルブの検索して取り出す（ステップＳＴ２２）。
【００２３】
検索して取り出したバルブの中で開の状態のバルブがない場合には、該当アイソレーションバルブに仮決定してステップＳＴ２１にジャンプする（ステップＳＴ２３、ＳＴ２４）。
【００２４】
ステップＳＴ２３で、開のバルブが存在する場合には、その隣りのバルブ、配管情報を抽出してステップＳＴ２１にジャンプする（ステップＳＴ２５）。
【００２５】
図２に戻って、アイソレーションバルブと決定された先のバルブの検索が終了した時点で、一次アイソレーションバルブの先のバルブが最終的に閉じているかどうかを判断する（ステップＳＴ１３）。
【００２６】
ステップＳＴ１３にて、一次アイソレーションバルブの先のバルブが最終的に閉じている場合には、バルブを閉じる必要がなく、アイソレーションバルブに仮決定しているバルブをアイソレーションバルブとする（ステップＳＴ１４）。
【００２７】
ステップＳＴ１３において、一次アイソレーションバルブの先のバルブが最終的に閉じていない場合には、次に、閉じているバルブの種類を判断する（ステップＳＴ１５）。
【００２８】
ステップＳＴ１５で、開いているバルブが自動弁のときは、アイソレーションバルブに仮決定していたバルブ（自動弁）をアイソレーションバルブに決定する（ステップＳＴ１６）。
【００２９】
ステップＳＴ１５で開いているバルブが手動弁のときは、一次アイソレーションバルブをアイソレーションバルブに決定する（ステップＳＴ１７）。
【００３０】
以上のようにして、一次アイソレーションバルブの先のバルブが全て閉の状態のときは、一次アイソレーションバルブをアイソレーションバルブと決定する。そして、一次アイソレーションバルブの先の配管の両端のバルブが開の状態であるときに、その開の状態の両端のバルブが自動バルブであるときには、この両者のバルブをアイソレーションバルブと決定する。
又、一次アイソレーションバルブの先の配管の両端のバルブの何れかが開の状態であるときに、その開の状態の両端のバルブが自動バルブであるときには、この開の状態のバルブ（自動バルブ）をアイソレーションバルブと決定する。
【００３１】
次に、本願発明に係る第２の実施形態のバルブ制御方法を具現化できるバルブ制御システムについて、図面を参照して説明する。
【００３２】
本願発明に係る第２の実施形態のバルブ制御方法を具現化するバルブ制御システムは、図４に示すように、第１〜第５の配管１１、１２、１３、１４、１６で構成され、それぞれの配管にバルブＡ、Ｂ、Ｃ、Ｄ、Ｅを設けた構成のバルブ制御システムである。その構成は、第１の配管１１の枝分かれした位置にバルブＡを取付け、そのバルブＡの先方の第２の配管１２の両端にバルブＢ及びバルブＣを取付け、バルブＢの後方に第３の配管１３を取付け、バルブＣの後方に第４の配管１４の一方端を取付け、第４の配管の枝分かれした位置にバルブＤを取付け、第４の配管の他方端にバルブＥを取付け、バルブＥの後方に第５の配管を取付けた構成になっており、バルブＡ、Ｂ、Ｃ、Ｄ、Ｅのうち自動バルブについては遠隔開閉操作を制御する制御部１５を備えている。
【００３３】
このような構成において、配管のラインアップする際のアイソレーションバルブを決定する手法について、以下説明する。
（ａ）先ず、第１の配管１１から枝分かれする第２の配管１２の配管情報を取得し、第１の配管１１から枝分かれする位置に設けたバルブＡを一次アイソレーションバルブとする。
（ｂ）次に、バルブＡが開いた場合、第２の配管１２に接続する配管（第３の配管及び第４の配管１３、１４）を調べ、接続部分にあるバルブＢ及びバルブＣの開閉状態を調べる。
（ｃ）バルブＢが閉じていた場合、このバルブの閉操作は不要と判断する。
（ｄ）バルブＣが開いていた場合、第４の配管１３の後方の接続部にあるバルブＤ及びバルブＥの開閉状態を調べる。
（ｅ）バルブＤ及びバルブＥ共に閉じていた場合、これらのバルブの閉操作は不要と判断する。
（ｆ）上記（ａ）〜（ｅ）の結果、一次アイソレーションバルブであるバルブＡから先の配管は、全て閉止されていたため、バルブＡの閉操作は不要と判断される。
（ｇ）上記（ｅ）で、バルブＤが開いていた場合は、更にその先の配管が調査される。その結果、バルブＤから先は閉止されていないと判断された場合、一次アイソレーションバルブであるバルブＡとバルブＤが比較され、バルブＤが自動バルブである場合には、バルブＤがアイソレーションバルブに決定される。
【００３４】
以上のようにして、一次アイソレーションバルブの先のバルブが全て閉であれば、一次アイソレーションバルブがアイソレーションバルブと決定し、一次アイソレーションバルブの先の配管の両端に取付けられている両者のバルブが開で、両者とも自動バルブである場合には、その両者のバルブがアイソレーションバルブと決定される。
【００３５】
次に、本願発明に係る第３の実施形態のバルブ制御方法を具現化できるバルブ制御システムについて、図面を参照して説明する。
【００３６】
本願発明に係る第３の実施形態のバルブ制御方法を具現化できるバルブ制御システムは、図５に示すように、流体が流れる第１の配管１１の枝分かれした位置に設けたバルブＡと、バルブＡの先方位置に設けた第２の配管１２と、この第２の配管１２の後方位置に設けたバルブＢと、第２の配管１２の前方位置に設けたバルブＣと、バルブＢの前方に設けた第３の配管１３と、バルブＣの後方位置に設けた第４の配管１４と、バルブＡ、バルブＢ、バルブＣの開閉を制御する制御部１５とからなる。
【００３７】
これらの構成からなる配管状態のパイプラインにおいて、実施例の第２の配管１２には過去に流された流体（油）が詰まった状態で残っている場合がある。このような状態で、バルブＢ及びバルブＣが既に閉まっていた状態で更に、バルブＡが閉じられた場合、これらの３つのバルブに囲まれた空間、即ち、第２の配管１２内部は流体（油）が閉じ込まれた形になる（これを、以後、「閉塞」と呼ぶ）。この閉塞状態が生じると、温度上昇によって閉塞されている流体（油）が膨張し、その圧力でバルブが破損するおそれがある。従来において、この閉塞状態が容易に発生してしまうため、圧力を逃がすための機器、即ち、サーマルリリーフバルブを設置し、破損を防ぐなどの処置を講じる必要があった。
【００３８】
しかし、本発明のアイソレーションバルブを任意に決定できる手法を採用すると、閉操作されるバルブ数が必要最小限に抑えられることから、閉塞状態の発生を未然に塞ぐことが可能になる。
【００３９】
実施例において、現在バルブＢが閉の状態、バルブＣが自動バルブで現在開の状態、バルブＡが手動バルブで現在開の状態であるとする。このときに、第１の配管１１をラインアップしたときに、バルブＣをアイソレーションバルブと決定することで、制御部１５から遠隔操作によりバルブＣを閉操作制御することで、第１の配管１１をラインアップすると共に、第２の配管１２はバルブＡを開の状態に維持することで、第１の配管１１と流通する状態となり閉塞状態にはならない。
【００４０】
このように、従来からの操作では、第１の配管１１をラインアップするときには、手動バルブであるバルブＡを閉状態にすると共に、第２の配管１２が閉塞状態になったときにサーマルリリーフバルブが設置されていることを確認することが必要になる。これに対して、アイソレーションバルブを任意に決定できるようにすると、閉塞状態を回避できるばかりでなく、自動バルブを選択してアイソレーションバルブに決定することで、制御部１５から遠隔操作により閉操作制御でき、そのバルブが設置されている場所まで行ってバルブの操作をする必要がなくなるのである。
【００４１】
【発明の効果】
上記説明したように、本発明に係るバルブ制御方法及びバルブ制御システムは、アイソレーションバルブから先の配管が全て閉止されていた場合であっても、常にアイソレーションバルブの閉操作が必要であった従来技術に対して、アイソレーションバルブから先が閉止されている場合は、アイソレーションバルブの閉操作が不要となる。又、ラインアップの時点で閉止されていなかったとしても、開いているバルブの種別（自動バルブ、手動バルブ）を調べ、より人的労力の少ない方をアイソレーションバルブとすることができるという効果がある。
【図面の簡単な説明】
【図１】本発明に係る第１の実施形態のバルブ制御方法及びバルブ制御システムを具現化するバルブの配置状態を示した説明図である。
【図２】同、アイソレーションバルブを決定するためのフローチャートである。
【図３】同、アイソレーションバルブを決定するためのフローチャートである。
【図４】本発明に係る第２の実施形態のバルブ制御方法及びバルブ制御システムを具現化するバルブの配置状態を示した説明図である。
【図５】本発明に係る第３の実施形態のバルブ制御方法及びバルブ制御システムを具現化するバルブの配置状態を示した説明図である。
【図６】従来技術におけるバルブ制御方法を具現化するバルブの配置状態を示した説明図である。
【符号の説明】
１１      第１の配管
１２      第２の配管
１３      第３の配管
１４      第４の配管
１５      制御部
１６      第５の配管
【図１】
2004197810.tif 000003
【図２】
2004197810.tif 000004
【図３】
2004197810.tif 000005
【図４】
2004197810.tif 000006
【図５】
2004197810.tif 000007
【図６】
2004197810.tif 000008